(57)【特許請求の範囲】
【請求項１】
物体側から順に、正の屈折力の第１レンズ群と、負の屈折力の第２レンズ群と、正の屈折力の中間レンズ群と、負の屈折力の第Ｎレンズ群と、正の屈折力の第Ｐレンズ群とから構成されていること；
短焦点距離端から長焦点距離端への変倍に際し、第１レンズ群と第２レンズ群の間隔、第２レンズ群と中間レンズ群の間隔、中間レンズ群と第Ｎレンズ群の間隔、第Ｎレンズ群と第Ｐレンズ群の間隔がそれぞれ変化すること；
中間レンズ群は、絞りを挟んで物体側と像側にそれぞれ位置する２つの正の屈折力のレンズ群から構成されており、この２つの正の屈折力のレンズ群の間隔は、短焦点距離端から長焦点距離端への変倍に際して可変であること；及び
次の条件式（５）、（６）を満足すること；
を特徴とするズームレンズ系。
（５）０．３＜ｆ１／ｆＰ＜１．４
（６）０．４８＜ｆ２／ｆＮ＜０．６１
但し、
ｆ１：第１レンズ群の焦点距離、
ｆ２：第２レンズ群の焦点距離、
ｆＮ：第Ｎレンズ群の焦点距離、
ｆＰ：第Ｐレンズ群の焦点距離。
【請求項２】
物体側から順に、正の屈折力の第１レンズ群と、負の屈折力の第２レンズ群と、正の屈折力の中間レンズ群と、負の屈折力の第Ｎレンズ群と、正の屈折力の第Ｐレンズ群とから構成されていること；
短焦点距離端から長焦点距離端への変倍に際し、第１レンズ群と第２レンズ群の間隔、第２レンズ群と中間レンズ群の間隔、中間レンズ群と第Ｎレンズ群の間隔、第Ｎレンズ群と第Ｐレンズ群の間隔がそれぞれ変化すること；
中間レンズ群は、絞りを挟んで物体側と像側にそれぞれ位置する２つの正の屈折力のレンズ群から構成されており、この２つの正の屈折力のレンズ群の間隔は、短焦点距離端から長焦点距離端への変倍に際して可変であること；及び
次の条件式（１）、（２）を満足すること；
を特徴とするズームレンズ系。
（１）−３．３＜ｆ１／ｆＮ＜−３．０
（２）−０．２３＜ｆ２／ｆＰ＜−０．０７
但し、
ｆ１：第１レンズ群の焦点距離、
ｆ２：第２レンズ群の焦点距離、
ｆＮ：第Ｎレンズ群の焦点距離、
ｆＰ：第Ｐレンズ群の焦点距離。
【請求項３】
請求項２に記載のズームレンズ系において、
第１レンズ群は、少なくとも２枚のレンズから構成された接合レンズを有しており、次の条件式（７）を満足するズームレンズ系。
（７）０．２＜Ｒｂ／ｆ１＜０．３５
但し、
Ｒｂ：第１レンズ群中の接合レンズを構成する少なくとも２枚のレンズの接合面の曲率半径、
ｆ１：第１レンズ群の焦点距離。
【請求項４】
請求項２又は請求項３に記載のズームレンズ系において、
次の条件式（６）を満足するズームレンズ系。
（６）０．４８＜ｆ２／ｆＮ＜０．６１
但し、
ｆ２：第２レンズ群の焦点距離、
ｆＮ：第Ｎレンズ群の焦点距離。
【請求項５】
物体側から順に、正の屈折力の第１レンズ群と、負の屈折力の第２レンズ群と、正の屈折力の中間レンズ群と、負の屈折力の第Ｎレンズ群と、正の屈折力の第Ｐレンズ群とから構成されていること；
短焦点距離端から長焦点距離端への変倍に際し、第１レンズ群と第２レンズ群の間隔、第２レンズ群と中間レンズ群の間隔、中間レンズ群と第Ｎレンズ群の間隔、第Ｎレンズ群と第Ｐレンズ群の間隔がそれぞれ変化すること；
中間レンズ群は、絞りを挟んで物体側と像側にそれぞれ位置する２つの正の屈折力のレンズ群から構成されており、この２つの正の屈折力のレンズ群の間隔は、短焦点距離端から長焦点距離端への変倍に際して可変又は不変であること；
第１レンズ群は、少なくとも２枚のレンズから構成された接合レンズを有していること；及び
次の条件式（１）、（２）、（６）、（７）を満足すること；
を特徴とするズームレンズ系。
（１）−３．３＜ｆ１／ｆＮ＜−３．０
（２）−０．２３＜ｆ２／ｆＰ＜−０．０７
（６）０．４８＜ｆ２／ｆＮ＜０．６１
（７）０．２＜Ｒｂ／ｆ１＜０．３５
但し、
ｆ１：第１レンズ群の焦点距離、
ｆ２：第２レンズ群の焦点距離、
ｆＮ：第Ｎレンズ群の焦点距離、
ｆＰ：第Ｐレンズ群の焦点距離、
Ｒｂ：第１レンズ群中の接合レンズを構成する少なくとも２枚のレンズの接合面の曲率半径。
【請求項６】
請求項２から請求項５のいずれかに記載のズームレンズ系において、
第１レンズ群は、ｄ線に対するアッベ数が８０以上のレンズ、及び／又は、ｄ線に対するアッベ数の差が４０以上の少なくとも２枚のレンズから構成された接合レンズを有しているズームレンズ系。
【請求項７】
物体側から順に、正の屈折力の第１レンズ群と、負の屈折力の第２レンズ群と、正の屈折力の中間レンズ群と、負の屈折力の第Ｎレンズ群と、正の屈折力の第Ｐレンズ群とから構成されていること；
短焦点距離端から長焦点距離端への変倍に際し、第１レンズ群と第２レンズ群の間隔、第２レンズ群と中間レンズ群の間隔、中間レンズ群と第Ｎレンズ群の間隔、第Ｎレンズ群と第Ｐレンズ群の間隔がそれぞれ変化すること；
中間レンズ群は、絞りを挟んで物体側と像側にそれぞれ位置する２つの正の屈折力のレンズ群から構成されており、この２つの正の屈折力のレンズ群の間隔は、短焦点距離端から長焦点距離端への変倍に際して可変又は不変であること；
第１レンズ群は、ｄ線に対するアッベ数が８０以上のレンズと、ｄ線に対するアッベ数の差が４０以上の少なくとも２枚のレンズから構成された接合レンズとのうち、少なくとも接合レンズを有していること；及び
次の条件式（１）、（２）、（７）を満足すること；
を特徴とするズームレンズ系。
（１）−３．３＜ｆ１／ｆＮ＜−３．０
（２）−０．２３＜ｆ２／ｆＰ＜−０．０７
（７）０．２＜Ｒｂ／ｆ１＜０．３５
但し、
ｆ１：第１レンズ群の焦点距離、
ｆ２：第２レンズ群の焦点距離、
ｆＮ：第Ｎレンズ群の焦点距離、
ｆＰ：第Ｐレンズ群の焦点距離、
Ｒｂ：第１レンズ群中の接合レンズを構成する少なくとも２枚のレンズの接合面の曲率半径。
【請求項８】
請求項２から請求項７のいずれかに記載のズームレンズ系において、
次の条件式（５）を満足するズームレンズ系。
（５）０．３＜ｆ１／ｆＰ＜１．４
但し、
ｆ１：第１レンズ群の焦点距離、
ｆＰ：第Ｐレンズ群の焦点距離。
【請求項９】
請求項１から請求項８のいずれかに記載のズームレンズ系において、
次の条件式（４）を満足するズームレンズ系。
（４）０．３＜Ｄｎｐ／｜ｆＮ｜
但し、
Ｄｎｐ：長焦点距離端における第Ｎレンズ群と第Ｐレンズ群の間隔、
ｆＮ：第Ｎレンズ群の焦点距離。
【請求項１０】
請求項１から請求項９のいずれかに記載のズームレンズ系において、
第Ｐレンズ群は、正単レンズから構成されているズームレンズ系。
【発明の詳細な説明】
【技術分野】
【０００１】
本発明は、ズームレンズ系、例えば、一眼レフカメラに用いて好適な望遠ズームレンズ系に関する。
【背景技術】
【０００２】
特許文献１には、従来の一般的な望遠ズームレンズ系として、物体側から順に、正、負、正の３つのレンズ群から構成されたものが開示されている。
【０００３】
特許文献２には、物体側から順に、正の第１群と、負の第２群と、正の後群とから構成され、後群の最も物体側に正の第３群を少なくとも含む多群構成のズームレンズ系が開示されている。
【０００４】
特許文献３には、物体側から順に、正、負、正、正、負、正の６つのレンズ群から構成された多群構成のズームレンズ系が開示されている。
【先行技術文献】
【特許文献】
【０００５】
【特許文献１】特開２００４−２９７６５号公報
【特許文献２】特開２０１１−９９９２４号公報
【特許文献３】特開２０１４−１４５９６０号公報
【発明の概要】
【発明が解決しようとする課題】
【０００６】
しかし、特許文献１−３のいずれのズームレンズ系も、各レンズ群のパワー配置（パワーバランス）が不適切であるため、像面湾曲やコマ収差等の諸収差の補正が不十分であり、光学性能が劣化しがちである。
【０００７】
本発明は、以上の問題意識に基づいてなされたものであり、像面湾曲やコマ収差等の諸収差を良好に補正して優れた光学性能を得ることができるズームレンズ系を得ることを目的とする。
【課題を解決するための手段】
【０００８】
本発明のズームレンズ系は、第１の態様では、物体側から順に、正の屈折力の第１レンズ群と、負の屈折力の第２レンズ群と、正の屈折力の中間レンズ群と、負の屈折力の第Ｎレンズ群と、正の屈折力の第Ｐレンズ群とから構成されていること；短焦点距離端から長焦点距離端への変倍に際し、第１レンズ群と第２レンズ群の間隔、第２レンズ群と中間レンズ群の間隔、中間レンズ群と第Ｎレンズ群の間隔、第Ｎレンズ群と第Ｐレンズ群の間隔がそれぞれ変化すること；中間レンズ群は、絞りを挟んで物体側と像側にそれぞれ位置する２つの正の屈折力のレンズ群から構成されており、この２つの正の屈折力のレンズ群の間隔は、短焦点距離端から長焦点距離端への変倍に際して可変であること；及び次の条件式（１）、（２）を満足すること；を特徴としている。
（１）−３．３＜ｆ１／ｆＮ＜−３．０
（２）−０．２３＜ｆ２／ｆＰ＜−０．０７
但し、
ｆ１：第１レンズ群の焦点距離、
ｆ２：第２レンズ群の焦点距離、
ｆＮ：第Ｎレンズ群の焦点距離、
ｆＰ：第Ｐレンズ群の焦点距離、
である。
【０００９】
本発明のズームレンズ系は、第２の態様では、物体側から順に、正の屈折力の第１レンズ群と、負の屈折力の第２レンズ群と、正の屈折力の中間レンズ群と、負の屈折力の第Ｎレンズ群と、正の屈折力の第Ｐレンズ群とから構成されていること；短焦点距離端から長焦点距離端への変倍に際し、第１レンズ群と第２レンズ群の間隔、第２レンズ群と中間レンズ群の間隔、中間レンズ群と第Ｎレンズ群の間隔、第Ｎレンズ群と第Ｐレンズ群の間隔がそれぞれ変化すること；中間レンズ群は、絞りを挟んで物体側と像側にそれぞれ位置する２つの正の屈折力のレンズ群から構成されており、この２つの正の屈折力のレンズ群の間隔は、短焦点距離端から長焦点距離端への変倍に際して可変であること；及び次の条件式（５）、（６）を満足すること；を特徴としている。
（５）０．３＜ｆ１／ｆＰ＜１．４
（６）０．４８＜ｆ２／ｆＮ＜０．６１
但し、
ｆ１：第１レンズ群の焦点距離、
ｆ２：第２レンズ群の焦点距離、
ｆＮ：第Ｎレンズ群の焦点距離、
ｆＰ：第Ｐレンズ群の焦点距離、
である。
本発明のズームレンズ系は、第３の態様では、物体側から順に、正の屈折力の第１レンズ群と、負の屈折力の第２レンズ群と、正の屈折力の中間レンズ群と、負の屈折力の第Ｎレンズ群と、正の屈折力の第Ｐレンズ群とから構成されていること；短焦点距離端から長焦点距離端への変倍に際し、第１レンズ群と第２レンズ群の間隔、第２レンズ群と中間レンズ群の間隔、中間レンズ群と第Ｎレンズ群の間隔、第Ｎレンズ群と第Ｐレンズ群の間隔がそれぞれ変化すること；中間レンズ群は、絞りを挟んで物体側と像側にそれぞれ位置する２つの正の屈折力のレンズ群から構成されており、この２つの正の屈折力のレンズ群の間隔は、短焦点距離端から長焦点距離端への変倍に際して可変又は不変であること；第１レンズ群は、少なくとも２枚のレンズから構成された接合レンズを有していること；及び次の条件式（１）、（２）、（６）、（７）を満足すること；を特徴としている。
（１）−３．３＜ｆ１／ｆＮ＜−３．０
（２）−０．２３＜ｆ２／ｆＰ＜−０．０７
（６）０．４８＜ｆ２／ｆＮ＜０．６１
（７）０．２＜Ｒｂ／ｆ１＜０．３５
但し、
ｆ１：第１レンズ群の焦点距離、
ｆ２：第２レンズ群の焦点距離、
ｆＮ：第Ｎレンズ群の焦点距離、
ｆＰ：第Ｐレンズ群の焦点距離、
Ｒｂ：第１レンズ群中の接合レンズを構成する少なくとも２枚のレンズの接合面の曲率半径、
である。
本発明のズームレンズ系は、第４の態様では、物体側から順に、正の屈折力の第１レンズ群と、負の屈折力の第２レンズ群と、正の屈折力の中間レンズ群と、負の屈折力の第Ｎレンズ群と、正の屈折力の第Ｐレンズ群とから構成されていること；短焦点距離端から長焦点距離端への変倍に際し、第１レンズ群と第２レンズ群の間隔、第２レンズ群と中間レンズ群の間隔、中間レンズ群と第Ｎレンズ群の間隔、第Ｎレンズ群と第Ｐレンズ群の間隔がそれぞれ変化すること；中間レンズ群は、絞りを挟んで物体側と像側にそれぞれ位置する２つの正の屈折力のレンズ群から構成されており、この２つの正の屈折力のレンズ群の間隔は、短焦点距離端から長焦点距離端への変倍に際して可変又は不変であること；第１レンズ群は、ｄ線に対するアッベ数が８０以上のレンズと、ｄ線に対するアッベ数の差が４０以上の少なくとも２枚のレンズから構成された接合レンズとのうち、少なくとも接合レンズを有していること；及び次の条件式（１）、（２）、（７）を満足すること；を特徴としている。
（１）−３．３＜ｆ１／ｆＮ＜−３．０
（２）−０．２３＜ｆ２／ｆＰ＜−０．０７
（７）０．２＜Ｒｂ／ｆ１＜０．３５
但し、
ｆ１：第１レンズ群の焦点距離、
ｆ２：第２レンズ群の焦点距離、
ｆＮ：第Ｎレンズ群の焦点距離、
ｆＰ：第Ｐレンズ群の焦点距離、
Ｒｂ：第１レンズ群中の接合レンズを構成する少なくとも２枚のレンズの接合面の曲率半径、
である。
【００１０】
本発明のズームレンズ系は、例えば、中間レンズ群が正の屈折力のレンズ群を１つだけ含む場合には、正、負、正、負、正の５群ズームレンズ系となり、中間レンズ群が２つの正の屈折力のレンズ群を含む場合には、正、負、正、正、負、正の６群ズームレンズ系となる。もちろん、本発明のズームレンズ系は、中間レンズ群が３つ以上の正の屈折力のレンズ群を含む態様（７群以上のズームレンズ系）も含み得る。
【００１１】
中間レンズ群は、絞りを挟んで物体側と像側にそれぞれ位置する２つの正の屈折力のレンズ群を有しており、この２つの正の屈折力のレンズ群の間隔は、短焦点距離端から長焦点距離端への変倍に際して不変とすることができる。この場合、本発明のズームレンズ系は、正、負、正、負、正の５群ズームレンズ系となる。収差補正だけを考えれば、５群ズームレンズ構成でほぼ目的が達成されるが、群数は多い方が（収差補正の自由度が増えるので）設計上の光学性能は向上する。
【００１２】
中間レンズ群は、絞りを挟んで物体側と像側にそれぞれ位置する２つの正の屈折力のレンズ群を有しており、この２つの正の屈折力のレンズ群の間隔は、短焦点距離端から長焦点距離端への変倍に際して可変とすることができる。この場合、本発明のズームレンズ系は、正、負、正、正、負、正の６群ズームレンズ系となる。中間レンズ群内の群数を増加させる代わりに（あるいはこれに加えて）、他のレンズ群（例えば第２レンズ群および／または最も像側のレンズ群をズーミングに際し設計上の像面に対して固定しても良い。
【００１３】
本発明のズームレンズ系は、次の条件式（３）を満足することが好ましい。
（３）０．３＜Ｄｍ／Ｌｍ＜０．５５
但し、
Ｄｍ：長焦点距離端における中間レンズ群中の２つの正の屈折力のレンズ群の間隔、
Ｌｍ：長焦点距離端における中間レンズ群全体の群厚、
である。
【００１４】
本発明のズームレンズ系は、次の条件式（４）を満足することが好ましい。
（４）０．３＜Ｄｎｐ／｜ｆＮ｜
但し、
Ｄｎｐ：長焦点距離端における第Ｎレンズ群と第Ｐレンズ群の間隔、
ｆＮ：第Ｎレンズ群の焦点距離、
である。
【００１５】
本発明のズームレンズ系は、次の条件式（５）を満足することが好ましい。
（５）０．３＜ｆ１／ｆＰ＜１．４
但し、
ｆ１：第１レンズ群の焦点距離、
ｆＰ：第Ｐレンズ群の焦点距離、
である。
【００１６】
本発明のズームレンズ系は、次の条件式（６）を満足することが好ましい。
（６）０．４８＜ｆ２／ｆＮ＜０．６１
但し、
ｆ２：第２レンズ群の焦点距離、
ｆＮ：第Ｎレンズ群の焦点距離、
である。
【００１７】
第Ｐレンズ群は、正単レンズから構成することができる。
【００１８】
第１レンズ群は、ｄ線に対するアッベ数が８０以上のレンズ、及び／又は、ｄ線に対するアッベ数の差が４０以上の少なくとも２枚のレンズから構成された接合レンズを有することができる。
【００１９】
第１レンズ群は、少なくとも２枚のレンズから構成された接合レンズを有しており、次の条件式（７）を満足することが好ましい。
（７）０．２＜Ｒｂ／ｆ１＜０．３５
但し、
Ｒｂ：第１レンズ群中の接合レンズを構成する少なくとも２枚のレンズの接合面の曲率半径、
ｆ１：第１レンズ群の焦点距離、
である。
【発明の効果】
【００２０】
本発明によれば、像面湾曲やコマ収差等の諸収差を良好に補正して優れた光学性能を得ることができるズームレンズ系が得られる。
【図面の簡単な説明】
【００２１】
【図１】本発明によるズームレンズ系の数値実施例１の短焦点距離端における無限遠合焦時のレンズ構成図である。
【図２】本発明によるズームレンズ系の数値実施例１の長焦点距離端における無限遠合焦時のレンズ構成図である。
【図３】図３（Ａ）〜（Ｄ）は図１の構成における諸収差図である。
【図４】図４（Ａ）〜（Ｄ）は図２の構成における諸収差図である。
【図５】本発明によるズームレンズ系の数値実施例２の短焦点距離端における無限遠合焦時のレンズ構成図である。
【図６】本発明によるズームレンズ系の数値実施例２の長焦点距離端における無限遠合焦時のレンズ構成図である。
【図７】図７（Ａ）〜（Ｄ）は図５の構成における諸収差図である。
【図８】図８（Ａ）〜（Ｄ）は図６の構成における諸収差図である。
【図９】本発明によるズームレンズ系の数値実施例３の短焦点距離端における無限遠合焦時のレンズ構成図である。
【図１０】本発明によるズームレンズ系の数値実施例３の長焦点距離端における無限遠合焦時のレンズ構成図である。
【図１１】図１１（Ａ）〜（Ｄ）は図９の構成における諸収差図である。
【図１２】図１２（Ａ）〜（Ｄ）は図１０の構成における諸収差図である。
【図１３】本発明によるズームレンズ系の数値実施例４の短焦点距離端における無限遠合焦時のレンズ構成図である。
【図１４】本発明によるズームレンズ系の数値実施例４の長焦点距離端における無限遠合焦時のレンズ構成図である。
【図１５】図１５（Ａ）〜（Ｄ）は図１３の構成における諸収差図である。
【図１６】図１６（Ａ）〜（Ｄ）は図１４の構成における諸収差図である。
【図１７】本発明によるズームレンズ系の数値実施例５の短焦点距離端における無限遠合焦時のレンズ構成図である。
【図１８】本発明によるズームレンズ系の数値実施例５の長焦点距離端における無限遠合焦時のレンズ構成図である。
【図１９】図１９（Ａ）〜（Ｄ）は図１７の構成における諸収差図である。
【図２０】図２０（Ａ）〜（Ｄ）は図１８の構成における諸収差図である。
【図２１】本発明によるズームレンズ系のズーム軌跡を示す第１の簡易移動図である。
【図２２】本発明によるズームレンズ系のズーム軌跡を示す第２の簡易移動図である。
【図２３】本発明によるズームレンズ系のズーム軌跡を示す第３の簡易移動図である。
【発明を実施するための形態】
【００２２】
本実施形態のズームレンズ系は、数値実施例１−３では、図２１の簡易移動図に示すように、物体側から順に、正の屈折力の第１レンズ群Ｇ１と、負の屈折力の第２レンズ群Ｇ２と、正の屈折力の第３レンズ群（中間レンズ群）Ｇ３と、正の屈折力の第４レンズ群（中間レンズ群）Ｇ４と、負の屈折力の第５レンズ群（第Ｎレンズ群）Ｇ５と、正の屈折力の第６レンズ群（第Ｐレンズ群）Ｇ６とから構成されている。第３レンズ群Ｇ３と第４レンズ群Ｇ４の間（第３レンズ群Ｇ３の直後）には、第３レンズ群Ｇ３と一体に移動する絞りＳが位置している。Ｉは設計上の像面である。
【００２３】
本実施形態のズームレンズ系は、数値実施例１−３では、図２１の簡易移動図に示すように、短焦点距離端（Ｗｉｄｅ）から長焦点距離端（Ｔｅｌｅ）への変倍に際し、第１レンズ群Ｇ１と第２レンズ群Ｇ２の間隔が増大し、第２レンズ群Ｇ２と第３レンズ群Ｇ３の間隔が減少し、第３レンズ群Ｇ３と第４レンズ群Ｇ４の間隔が減少し、第４レンズ群Ｇ４と第５レンズ群Ｇ５の間隔が増大し（一旦増大した後に若干量だけ減少し）、第５レンズ群Ｇ５と第６レンズ群Ｇ６の間隔が増大する。第５レンズ群Ｇ５と第６レンズ群Ｇ６の間隔は減少してもよい（変化すればよい）。より具体的に、短焦点距離端から長焦点距離端への変倍に際し、第１レンズ群Ｇ１と第３レンズ群Ｇ３と第４レンズ群Ｇ４と第５レンズ群Ｇ５が物体側に移動し、第２レンズ群Ｇ２と第６レンズ群Ｇ６が設計上の像面Ｉに対して固定されている（光軸方向に移動しない）。
【００２４】
第１レンズ群Ｇ１は、物体側から順に、正レンズ１１と、負レンズ１２と、正レンズ１３とからなる。負レンズ１２と正レンズ１３は、接合されている。
【００２５】
第２レンズ群Ｇ２は、物体側から順に、負レンズ２１と、正レンズ２２と、負レンズ２３とからなる。負レンズ２１と正レンズ２２は、接合されている。
【００２６】
第３レンズ群Ｇ３は、物体側から順に、正レンズ３１と、正レンズ３２と、負レンズ３３とからなる。正レンズ３２と負レンズ３３は、接合されている。
【００２７】
第４レンズ群Ｇ４は、物体側から順に、負レンズ４１と、正レンズ４２と、正レンズ４３とからなる。
【００２８】
第５レンズ群Ｇ５は、物体側から順に、正レンズ５１と、負レンズ５２とからなる。
【００２９】
第６レンズ群Ｇ６は、正単レンズ６１からなる。
【００３０】
本実施形態のズームレンズ系は、数値実施例４、５では、図２２、図２３の簡易移動図に示すように、物体側から順に、正の屈折力の第１レンズ群Ｇ１と、負の屈折力の第２レンズ群Ｇ２と、正の屈折力の第３レンズ群（中間レンズ群）Ｇ３’と、負の屈折力の第４レンズ群（第Ｎレンズ群）Ｇ４’と、正の屈折力の第５レンズ群（第Ｐレンズ群）Ｇ５’とから構成されている。絞りＳは、第３レンズ群Ｇ３’の内部に位置している。
【００３１】
本実施形態のズームレンズ系は、数値実施例４、５では、図２２、図２３の簡易移動図に示すように、短焦点距離端（Ｗｉｄｅ）から長焦点距離端（Ｔｅｌｅ）への変倍に際し、第１レンズ群Ｇ１と第２レンズ群Ｇ２の間隔が増大し、第２レンズ群Ｇ２と第３レンズ群Ｇ３’の間隔が減少し、第３レンズ群Ｇ３’と第４レンズ群Ｇ４’の間隔が変化し（一旦増大した後に減少することで、数値実施例４では結果的に減少し、数値実施例５では結果的に微増し）、第４レンズ群Ｇ４’と第５レンズ群Ｇ５’の間隔が増大する（数値実施例４では一旦減少した後結果的に増大し、数値実施例５では増大する）。より具体的に、図２２の簡易移動図に示すように、数値実施例４では、短焦点距離端から長焦点距離端への変倍に際し、第１レンズ群Ｇ１と第３レンズ群Ｇ３’と第５レンズ群Ｇ５’が物体側に移動し、第２レンズ群Ｇ２が一旦像側に移動した後に物体側に戻り（Ｕターンし）、第４レンズ群Ｇ４’が像側に凸の軌跡を描きながら物体側に移動する。また、図２３の簡易移動図に示すように、数値実施例５では、短焦点距離端から長焦点距離端への変倍に際し、第１レンズ群Ｇ１と第３レンズ群Ｇ３’が物体側に移動し、第２レンズ群Ｇ２が一旦像側に移動した後に物体側に戻り（Ｕターンし）、第４レンズ群Ｇ４’が像側に凸の軌跡を描きながら物体側に移動し、第５レンズ群Ｇ５’が一旦像側に移動した後に短焦点距離端の位置を超えて物体側に移動する。
【００３２】
第１レンズ群Ｇ１は、物体側から順に、正レンズ１１と、負レンズ１２と、正レンズ１３とからなる。負レンズ１２と正レンズ１３は、接合されている。
【００３３】
第２レンズ群Ｇ２は、物体側から順に、負レンズ２１と、正レンズ２２と、負レンズ２３とからなる。負レンズ２１と正レンズ２２は、接合されている。
【００３４】
第３レンズ群Ｇ３’は、物体側から順に、正レンズ３１’と、正レンズ３２’と、負レンズ３３’と、絞りＳと、負レンズ３４’と、正レンズ３５’と、正レンズ３６’とからなる。正レンズ３２’と負レンズ３３’は、接合されている。
【００３５】
第４レンズ群Ｇ４’は、物体側から順に、正レンズ４１’と、負レンズ４２’とからなる。
【００３６】
第５レンズ群Ｇ５’は、正単レンズ５１’からなる。
【００３７】
本実施形態のズームレンズ系は、物体側から順に、正の屈折力の第１レンズ群（Ｇ１）と、負の屈折力の第２レンズ群（Ｇ２）と、少なくとも１つの正の屈折力のレンズ群を含む正の屈折力の中間レンズ群（Ｇ３とＧ４、または、Ｇ３’）と、負の屈折力の第Ｎレンズ群（Ｇ５またはＧ４’）と、正の屈折力の第Ｐレンズ群（Ｇ６またはＧ５’）とから構成されている。
【００３８】
正の屈折力の第１レンズ群（Ｇ１）と負の屈折力の第２レンズ群（Ｇ２）は、主たる変倍作用を担っている。正の屈折力の中間レンズ群（Ｇ３とＧ４、または、Ｇ３’）は、主たる結像作用を担っている。負の屈折力の第Ｎレンズ群（Ｇ５またはＧ４’）は、フォーカシング時に移動するフォーカスレンズ群として機能する。正の屈折力の第Ｐレンズ群（Ｇ６またはＧ５’）は、ズーミング時やフォーカシング時の収差変動を効果的に補正する機能を持つ。
【００３９】
収差補正の目的を達成する為には、中間レンズ群の群数は「１群」あればほぼ足りる（もちろん、２群以上にした方が設計上の光学性能は向上する）。しかしどのレンズ群を移動させ、どの間隔を変化させるかは収差補正だけで決めるわけではない。例えば第２レンズ群を偏心させることで像ブレ補正をさせる場合、ズーミングに際して第２レンズ群を設計上の像面に対して固定させれば機構設計の負荷を軽くできる。ズーミングに際し、例えば中間レンズ群内の間隔を変化させることで、第２レンズ群の移動を止めることができるなら、全体として設計／量産の負荷を最小化（最適化）することができるのである。このように本発明の中間レンズ群内の群数は収差補正とはやや異なる理由で選択することができる。
【００４０】
条件式（１）は、第１レンズ群Ｇ１の焦点距離と、第Ｎレンズ群（Ｇ５またはＧ４’）の焦点距離との比を規定している。条件式（１）を満足することで、コマ収差や像面湾曲を良好に補正することができる。
条件式（１）の上限を超えると、第１レンズ群Ｇ１のパワーが強くなりすぎて、近接（合焦）時の像面湾曲の変化が大きくなってしまう。
条件式（１）の下限を超えると、第Ｎレンズ群（Ｇ５またはＧ４’）のパワーが強くなりすぎて、コマ収差や像面湾曲の補正が困難になってしまう。
【００４１】
条件式（２）は、第２レンズ群Ｇ２の焦点距離と、第Ｐレンズ群（Ｇ６またはＧ５’）の焦点距離との比を規定している。条件式（２）を満足することで、像面湾曲を良好に補正することができる。
条件式（２）の上限を超えると、第２レンズ群Ｇ２のパワーが強くなりすぎて、ズーミング時の像面湾曲の変化が大きくなってしまう。
条件式（２）の下限を超えると、第Ｐレンズ群（Ｇ６またはＧ５’）のパワーが強くなりすぎて、像面湾曲の補正が不十分になってしまう。
【００４２】
中間レンズ群は、絞りＳを挟んで物体側と像側にそれぞれ位置する２つの正の屈折力のレンズ群（数値実施例１−３では第３レンズ群Ｇ３と第４レンズ群Ｇ４、数値実施例４、５では第３レンズ群Ｇ３’中の正レンズ３１’と正レンズ３２’と負レンズ３３’からなるレンズ群と負レンズ３４’と正レンズ３５’と正レンズ３６’からなるレンズ群）を有している。
【００４３】
このように主たる結像作用を担う中間レンズ群に２つの正の屈折力のレンズ群を含ませることにより、機構はやや複雑になり、誤差要因が増えるものの、球面収差やコマ収差の発生を抑えることができる。また２つの正の屈折力のレンズ群を絞りＳを挟んで配置することにより、非点収差や歪曲収差の発生を抑えることができる。
【００４４】
条件式（３）は、長焦点距離端における中間レンズ群中の２つの正の屈折力のレンズ群（数値実施例１−３では第３レンズ群Ｇ３と第４レンズ群Ｇ４、数値実施例４、５では第３レンズ群Ｇ３’中の正レンズ３１’と正レンズ３２’と負レンズ３３’からなるレンズ群と負レンズ３４’と正レンズ３５’と正レンズ３６’からなるレンズ群）の間隔と、長焦点距離端における中間レンズ群全体の群厚との比を規定している。条件式（３）を満足することで、球面収差、コマ収差、像面湾曲等の主たる補正作用を中間レンズ群中の２つの正の屈折力のレンズ群に分担することができる。
条件式（３）の上限を超えても下限を超えても、球面収差、コマ収差、像面湾曲等の主たる補正作用を中間レンズ群中の２つの正の屈折力のレンズ群に分担することが難しくなる。
【００４５】
条件式（４）は、長焦点距離端における第Ｎレンズ群（Ｇ５またはＧ４’）と第Ｐレンズ群（Ｇ６またはＧ５’）の間隔と、第Ｎレンズ群（Ｇ５またはＧ４’）の焦点距離との比を規定している。条件式（４）を満足することで、第Ｎレンズ群（Ｇ５またはＧ４’）をフォーカシング時に移動するフォーカスレンズ群としたときに好適なフォーカシングを実現するとともに、当該フォーカスレンズ群を小型化・軽量化することができる。
条件式（４）の下限を超えると、第Ｎレンズ群（Ｇ５またはＧ４’）をフォーカシング時に移動するフォーカスレンズ群としたときに好適なフォーカシングが難しくなるとともに、当該フォーカスレンズ群が大型化・重量化してしまう。
言いかえると、条件式（４）の下限を超えると第Ｎレンズ群がフォーカシングのために移動する間隔が足りなくなるので、所定の物体距離までのフォーカシングをするには、第Ｎレンズ群のパワーを強くしなければならなくなる。フォーカシングによる収差変動を抑えるためには、構成するレンズが増え、第Ｎレンズ群が大型化・重量化してしまう。
【００４６】
条件式（５）は、第１レンズ群Ｇ１の焦点距離と、第Ｐレンズ群（Ｇ６またはＧ５’）の焦点距離との比を規定している。条件式（５）を満足することで、コマ収差、像面湾曲、歪曲収差を良好に補正することができる。
条件式（５）の上限を超えると、第Ｐレンズ群（Ｇ６またはＧ５’）のパワーが強くなりすぎて、コマ収差や像面湾曲の補正が困難になってしまう。
条件式（５）の下限を超えると、第Ｐレンズ群（Ｇ６またはＧ５’）のパワーが弱くなりすぎて、歪曲収差の補正が不十分になってしまう。
【００４７】
条件式（６）は、第２レンズ群Ｇ２の焦点距離と、第Ｎレンズ群（Ｇ５またはＧ４’）の焦点距離との比を規定している。条件式（６）を満足することで、ズーミング時の像面湾曲の変動やフォーカシング時の収差変動を抑えることができる。
条件式（６）の上限を超えると、第Ｎレンズ群（Ｇ５またはＧ４’）のパワーが強くなりすぎて、フォーカシング時の収差変動が大きくなってしまう。
条件式（６）の下限を超えると、第２レンズ群Ｇ２のパワーが強くなりすぎて、ズーミング時の像面湾曲の変動が大きくなってしまう。
【００４８】
第１レンズ群Ｇ１は、ｄ線に対するアッベ数が８０以上のいわゆるＥＤレンズ（正レンズ１３）、及び／又は、ｄ線に対するアッベ数の差が４０以上の少なくとも２枚のレンズから構成された接合レンズ（負レンズ１２と正レンズ１３の接合レンズ）を有している。これにより、特に長焦点距離端での色収差を良好に補正することができる。
【００４９】
条件式（７）は、第１レンズ群Ｇ１中の接合レンズを構成する少なくとも２枚のレンズ（負レンズ１２と正レンズ１３）の接合面の曲率半径と、第１レンズ群Ｇ１の焦点距離との比を規定している。本実施形態のような望遠ズームレンズ系は、短焦点距離端から長焦点距離端への変倍に際して第１レンズ群Ｇ１が大きく繰り出されるが、条件式（７）を満足することで、第１レンズ群Ｇ１の繰り出しに伴う偏芯誤差の影響を低減することが可能になる。
【実施例】
【００５０】
次に具体的な数値実施例１−５を示す。諸収差図及び表中において、ｄ線、ｇ線、Ｃ線はそれぞれの波長に対する収差、Ｓはサジタル、Ｍはメリディオナル、FNO.はＦナンバー、fは全系の焦点距離、Wは半画角（゜）、Yは像高、fB はバックフォーカス、Lはレンズ全長、Rは曲率半径、dはレンズ厚またはレンズ間隔、N(d)はｄ線に対する屈折率、ν(d)はｄ線に対するアッベ数を示す。バックフォーカスはレンズ全系の最も像側の面から設計上の像面Ｉ（図２１〜図２３）までの距離である。Ｆナンバー、焦点距離、半画角、像高、バックフォーカス、レンズ全長及び変倍に伴って間隔が変化するレンズ間隔ｄは、短焦点距離端−中間焦点距離−長焦点距離端の順に示している。長さの単位は[mm]である。全数値実施例１−５を通じて、非球面レンズは用いていない。
【００５１】
［数値実施例１］
図１〜図４と表１〜表３は、本発明によるズームレンズ系の数値実施例１を示している。図１は短焦点距離端における無限遠合焦時のレンズ構成図、図３（Ａ）〜（Ｄ）はその諸収差図であり、図２は長焦点距離端における無限遠合焦時のレンズ構成図、図４（Ａ）〜（Ｄ）はその諸収差図である。表１は面データ、表２は各種データ、表３はレンズ群データである。
【００５２】
本数値実施例１のズームレンズ系は、物体側から順に、正の屈折力の第１レンズ群Ｇ１と、負の屈折力の第２レンズ群Ｇ２と、正の屈折力の第３レンズ群（中間レンズ群）Ｇ３と、正の屈折力の第４レンズ群（中間レンズ群）Ｇ４と、負の屈折力の第５レンズ群（第Ｎレンズ群）Ｇ５と、正の屈折力の第６レンズ群（第Ｐレンズ群）Ｇ６とから構成されている。第３レンズ群Ｇ３と第４レンズ群Ｇ４の間（第３レンズ群Ｇ３の直後）には、第３レンズ群Ｇ３と一体に移動する絞りＳが位置している。
【００５３】
第１レンズ群Ｇ１は、物体側から順に、物体側に凸の正メニスカスレンズ１１と、物体側に凸の負メニスカスレンズ１２と、物体側に凸の正メニスカスレンズ１３とからなる。負メニスカスレンズ１２と正メニスカスレンズ１３は、接合されている。
【００５４】
第２レンズ群Ｇ２は、物体側から順に、両凹負レンズ２１と、物体側に凸の正メニスカスレンズ２２と、両凹負レンズ２３とからなる。両凹負レンズ２１と正メニスカスレンズ２２は、接合されている。
【００５５】
第３レンズ群Ｇ３は、物体側から順に、両凸正レンズ３１と、両凸正レンズ３２と、両凹負レンズ３３とからなる。両凸正レンズ３２と両凹負レンズ３３は、接合されている。
【００５６】
第４レンズ群Ｇ４は、物体側から順に、物体側に凸の負メニスカスレンズ４１と、像側に凸の正メニスカスレンズ４２と、物体側に凸の正メニスカスレンズ４３とからなる。
【００５７】
第５レンズ群Ｇ５は、物体側から順に、像側に凸の正メニスカスレンズ５１と、両凹負レンズ５２とからなる。
【００５８】
第６レンズ群Ｇ６は、物体側に凸の正メニスカス単レンズ６１からなる。
【００５９】
（表１）
面データ
面番号          R          d          N(d)        ν(d)
1           105.273      4.55       1.48749        70.2
2          1578.998      0.15
3           126.148      1.50       1.65412        39.7
4            57.207      5.70       1.49700        81.6
5           363.986       d5
6          -145.100      1.00       1.72916        54.7
7            23.690      3.10       1.84666        23.8
8            69.541      1.80
9           -52.446      1.00       1.80400        46.6
10          264.919       d10
11          150.299      3.10       1.61800        63.4
12          -40.151      0.20
13           31.822      4.20       1.51633        64.1
14          -37.311      1.00       1.90366        31.3
15          187.695      2.00
16絞           ∞        d16
17          237.646      1.00       1.80610        33.3
18           57.410      1.00
19        -2463.192      2.50       1.61800        63.4
20          -54.986      0.10
21           39.534      2.40       1.54814        45.8
22          177.259       d22
23         -114.243      1.60       1.80518        25.4
24          -41.332      9.00
25          -27.005      0.70       1.67300        38.2
26           77.860       d26
27           64.349      1.55       1.83481        42.7
28          136.701        -
（表２）
各種データ
ズーム比（変倍比）    5.22
短焦点距離端          中間焦点距離          長焦点距離端
FNO.            4.6                   6.0                   6.5
f             56.56                135.00                295.03
W              14.6                   6.0                   2.8
Y             14.24                 14.24                 14.24
fB            37.00                 37.00                 37.00
L            149.41                196.55                241.29
d5             7.19                 54.32                 99.06
d10           27.16                 11.35                  1.00
d16           22.44                  8.25                  6.17
d22            2.00                 11.34                  4.00
d26            4.47                 25.13                 44.90
（表３）
レンズ群データ
群          始面          焦点距離
1              1            183.35
2              6            -32.12
3             11             45.54
4             17             84.97
5             23            -57.26
6             27            144.23
【００６０】
［数値実施例２］
図５〜図８と表４〜表６は、本発明によるズームレンズ系の数値実施例２を示している。図５は短焦点距離端における無限遠合焦時のレンズ構成図、図７（Ａ）〜（Ｄ）はその諸収差図であり、図６は長焦点距離端における無限遠合焦時のレンズ構成図、図８（Ａ）〜（Ｄ）はその諸収差図である。表４は面データ、表５は各種データ、表６はレンズ群データである。
【００６１】
この数値実施例２のレンズ構成は、数値実施例１のレンズ構成と同様である。
【００６２】
（表４）
面データ
面番号          R          d          N(d)        ν(d)
1           102.875      4.50       1.48749        70.2
2          1480.840      0.10
3           125.785      1.50       1.65412        39.7
4            57.060      5.70       1.49700        81.6
5           327.341       d5
6          -137.753      1.00       1.72916        54.7
7            23.736      3.10       1.84666        23.8
8            71.519      1.83
9           -52.358      1.00       1.80400        46.6
10          248.281       d10
11          139.664      3.05       1.61800        63.4
12          -40.293      0.50
13           32.193      4.20       1.51633        64.1
14          -37.150      1.00       1.90366        31.3
15          193.346      2.00
16絞          ∞         d16
17          231.699      1.00       1.80100        35.0
18           56.334      0.83
19        -2131.179      2.50       1.60311        60.7
20          -53.296      0.10
21           38.956      2.34       1.56883        56.0
22          155.427       d22
23         -118.530      1.40       1.80518        25.4
24          -40.848      8.50
25          -26.852      0.70       1.66998        39.3
26           84.632       d26
27           58.992      1.55       1.80440        39.6
28           99.975        -
（表５）
各種データ
ズーム比（変倍比）    5.21
短焦点距離端          中間焦点距離          長焦点距離端
FNO.            4.5                   6.0                   6.5
f             56.53                135.00                294.68
W              14.6                   6.0                   2.8
Y             14.24                 14.24                 14.24
fB            37.56                 37.56                 37.54
L            148.08                196.58                241.78
d5             5.70                 54.20                 99.39
d10           26.74                 11.18                  1.00
d16           23.21                  9.35                  7.95
d22            2.00                 11.04                  4.00
d26            4.47                 24.84                 43.49
（表６）
レンズ群データ
群          始面          焦点距離
1              1            185.00
2              6            -31.91
3             11             45.25
4             17             84.31
5             23            -60.94
6             27            175.93
【００６３】
［数値実施例３］
図９〜図１２と表７〜表９は、本発明によるズームレンズ系の数値実施例３を示している。図９は短焦点距離端における無限遠合焦時のレンズ構成図、図１１（Ａ）〜（Ｄ）はその諸収差図であり、図１０は長焦点距離端における無限遠合焦時のレンズ構成図、図１２（Ａ）〜（Ｄ）はその諸収差図である。表７は面データ、表８は各種データ、表９はレンズ群データである。
【００６４】
この数値実施例３のレンズ構成は、以下の点を除いて、数値実施例１、２のレンズ構成と同様である。
（１）第１レンズ群Ｇ１の正レンズ１１が両凸正レンズである。
（２）第４レンズ群Ｇ４の正レンズ４２が両凸正レンズである。
【００６５】
（表７）
面データ
面番号          R          d          N(d)        ν(d)
1            95.763      4.35       1.48749        70.2
2         -2653.052      0.15
3           112.509      1.50       1.65412        39.7
4            51.121      6.21       1.49700        81.6
5           251.324       d5
6          -197.842      1.00       1.72916        54.7
7            21.938      3.11       1.84666        23.8
8            60.294      1.83
9           -47.349      1.00       1.80400        46.6
10          242.177       d10
11           78.433      3.11       1.61800        63.4
12          -46.358      3.76
13           39.828      4.26       1.51633        64.1
14          -34.160      1.00       1.90366        31.3
15          402.332      2.00
16絞           ∞        d16
17          212.628      1.00       1.79999        33.8
18           49.115      0.83
19          118.393      2.64       1.58335        57.5
20          -50.371      0.10
21           33.823      2.34       1.54072        47.2
22          104.816       d22
23          -68.710      1.33       1.80518        25.4
24          -38.223      7.36
25          -28.632      0.70       1.55341        44.7
26           47.363       d26
27           87.511      1.55       1.68893        31.1
28          227.742        -
（表８）
各種データ
ズーム比（変倍比）    5.22
短焦点距離端          中間焦点距離          長焦点距離端
FNO.            4.6                   6.0                   6.5
f             56.56                135.00                294.98
W              14.5                   6.0                   2.7
Y             14.24                 14.24                 14.24
fB            38.15                 38.15                 38.15
L            154.67                194.21                234.01
d5             5.00                 44.55                 84.34
d10           28.50                 11.57                  1.00
d16           25.42                 12.51                 14.63
d22            2.00                  9.36                  4.00
d26            4.47                 26.94                 40.76
（表９）
レンズ群データ
群          始面          焦点距離
1              1            162.90
2              6            -30.17
3             11             46.03
4             17             64.48
5             23            -50.96
6             27            205.37
【００６６】
［数値実施例４］
図１３〜図１６と表１０〜表１２は、本発明によるズームレンズ系の数値実施例４を示している。図１３は短焦点距離端における無限遠合焦時のレンズ構成図、図１５（Ａ）〜（Ｄ）はその諸収差図であり、図１４は長焦点距離端における無限遠合焦時のレンズ構成図、図１６（Ａ）〜（Ｄ）はその諸収差図である。表１０は面データ、表１１は各種データ、表１２はレンズ群データである。
【００６７】
この数値実施例４のレンズ構成は、以下の点を除いて、数値実施例１、２のレンズ構成と同様である。
（１）第２レンズ群Ｇ２の負レンズ２３が像側に凸の負メニスカスレンズである。
（２）ズームレンズ系が、物体側から順に、正の屈折力の第１レンズ群Ｇ１と、負の屈折力の第２レンズ群Ｇ２と、正の屈折力の第３レンズ群（中間レンズ群）Ｇ３’と、負の屈折力の第４レンズ群（第Ｎレンズ群）Ｇ４’と、正の屈折力の第５レンズ群（第Ｐレンズ群）Ｇ５’とから構成されている。絞りＳは、第３レンズ群Ｇ３’の内部に位置している。
（３）第３レンズ群Ｇ３’が、物体側から順に、両凸正レンズ３１’と、両凸正レンズ３２’と、両凹負レンズ３３’と、絞りＳと、物体側に凸の負メニスカスレンズ３４’と、両凸正レンズ３５’と、両凸正レンズ３６’とからなる。両凸正レンズ３２’と両凹負レンズ３３’は、接合されている。
（４）第４レンズ群Ｇ４’が、物体側から順に、像側に凸の正メニスカスレンズ４１’と、両凹負レンズ４２’とからなる。
（５）第５レンズ群Ｇ５’が、物体側に凸の正メニスカス単レンズ５１’からなる。
【００６８】
（表１０）
面データ
面番号          R          d          N(d)        ν(d)
1            58.227      5.94       1.51633        64.1
2           470.923      0.15
3            86.162      1.70       1.79952        42.2
4            36.616      8.21       1.48749        70.2
5           262.144       d5
6          -186.072      0.90       1.72916        54.7
7            19.500      2.96       1.84666        23.8
8            40.897      2.71
9           -34.927      0.80       1.69680        55.5
10         -674.687       d10
11           73.960      3.00       1.72916        54.7
12          -82.737      0.60
13           39.656      4.59       1.59522        67.7
14          -38.134      1.10       1.83400        37.2
15           98.015     15.94
16絞           ∞       1.21
17          217.932      1.00       1.83400        37.3
18           32.170      0.35
19           36.606      4.10       1.49700        81.6
20          -48.895      1.70
21           36.811      2.92       1.69680        55.5
22         -581.993       d22
23          -89.005      2.11       1.76182        26.5
24          -37.541      2.29
25          -35.689      0.70       1.69680        55.5
26           47.540       d26
27          162.666      2.06       1.54072        47.2
28         4653.462        -
（表１１）
各種データ
ズーム比（変倍比）    5.22
短焦点距離端          中間焦点距離          長焦点距離端
FNO.            4.6                   5.5                   6.5
f             55.98                135.01                291.99
W              14.8                   6.0                   2.8
Y             14.24                 14.24                 14.24
fB            39.83                 49.04                 71.91
L            165.04                195.00                234.60
d5             8.39                 47.96                 72.37
d10           28.99                 10.17                  2.50
d22            4.32                 10.92                  2.73
d26           16.46                  9.86                 18.05
（表１２）
レンズ群データ
群          始面          焦点距離
1              1            142.85
2              6            -26.06
3             11             34.50
4             23            -46.09
5             27            311.68
【００６９】
［数値実施例５］
図１７〜図２０と表１３〜表１５は、本発明によるズームレンズ系の数値実施例５を示している。図１７は短焦点距離端における無限遠合焦時のレンズ構成図、図１９（Ａ）〜（Ｄ）はその諸収差図であり、図１８は長焦点距離端における無限遠合焦時のレンズ構成図、図２０（Ａ）〜（Ｄ）はその諸収差図である。表１３は面データ、表１４は各種データ、表１５はレンズ群データである。
【００７０】
この数値実施例５のレンズ構成は、以下の点を除いて、数値実施例１、２のレンズ構成と同様である。
（１）ズームレンズ系が、物体側から順に、正の屈折力の第１レンズ群Ｇ１と、負の屈折力の第２レンズ群Ｇ２と、正の屈折力の第３レンズ群（中間レンズ群）Ｇ３’と、負の屈折力の第４レンズ群（第Ｎレンズ群）Ｇ４’と、正の屈折力の第５レンズ群（第Ｐレンズ群）Ｇ５’とから構成されている。絞りＳは、第３レンズ群Ｇ３’の内部に位置している。
（２）第３レンズ群Ｇ３’が、物体側から順に、両凸正レンズ３１’と、両凸正レンズ３２’と、両凹負レンズ３３’と、絞りＳと、物体側に凸の負メニスカスレンズ３４’と、両凸正レンズ３５’と、物体側に凸の正メニスカスレンズ３６’とからなる。両凸正レンズ３２’と両凹負レンズ３３’は、接合されている。
（３）第４レンズ群Ｇ４’が、物体側から順に、像側に凸の正メニスカスレンズ４１’と、両凹負レンズ４２’とからなる。
（４）第５レンズ群Ｇ５’が、物体側に凸の両凸正単レンズ５１’からなる。
【００７１】
（表１３）
面データ
面番号          R          d          N(d)        ν(d)
1            55.616      5.94       1.51633        64.1
2           356.547      0.15
3            86.146      1.70       1.79952        42.2
4            36.002      8.21       1.48749        70.2
5           351.493       d5
6          -137.440      0.90       1.72916        54.7
7            18.797      2.96       1.84666        23.8
8            41.981      2.70
9           -33.293      0.80       1.69680        55.5
10          922.967       d10
11           80.444      3.00       1.72916        54.7
12          -58.519      0.10
13           35.886      4.59       1.59522        67.7
14          -41.331      1.10       1.85026        32.3
15          116.215      2.10
16絞           ∞       14.35
17           72.201      1.00       1.83400        37.3
18           28.685      1.60
19           38.090      3.93       1.49700        81.6
20          -69.133      1.56
21           36.184      2.92       1.69680        55.5
22          266.995       d22
23          -70.180      2.11       1.76182        26.5
24          -32.154      1.17
25          -32.543      0.70       1.69680        55.5
26           46.136       d26
27          353.776      2.05       1.51633        64.1
28         -144.531        -
（表１４）
各種データ
ズーム比（変倍比）    5.21
短焦点距離端          中間焦点距離          長焦点距離端
FNO.            4.6                   4.8                   6.5
f             56.05                135.00                291.96
W              14.8                   5.9                   2.8
Y             14.24                 14.24                 14.24
fB            49.22                 39.00                 65.22
L            151.92                187.73                234.60
d5             3.00                 50.34                 66.87
d10           23.73                  9.99                  2.50
d22            2.00                  8.77                  2.10
d26            8.33                 13.99                 32.26
（表１５）
レンズ群データ
群          始面          焦点距離
1              1            135.68
2              6            -23.76
3             11             32.30
4             23            -42.86
5             27            199.01
【００７２】
各数値実施例の各条件式に対する値を表１６に示す。
（表１６）
実施例１         実施例２         実施例３
条件式（１）     -3.202           -3.036           -3.197
条件式（２）     -0.223           -0.181           -0.147
条件式（３）      0.345            0.391            0.466
条件式（４）      0.784            0.714            0.800
条件式（５）      1.271            1.052            0.793
条件式（６）      0.561            0.524            0.592
条件式（７）      0.312            0.308            0.314
実施例４         実施例５
条件式（１）     -3.100           -3.166
条件式（２）     -0.084           -0.119
条件式（３）      0.470            0.454
条件式（４）      0.392            0.753
条件式（５）      0.458            0.682
条件式（６）      0.565            0.554
条件式（７）      0.256            0.265
【００７３】
表１６から明らかなように、数値実施例１〜数値実施例５は、条件式（１）〜条件式（７）を満足しており、諸収差図から明らかなように諸収差は比較的よく補正されている。
【００７４】
本発明の特許請求の範囲に含まれるズームレンズ系に、実質的なパワーを有さないレンズまたはレンズ群を追加したとしても、本発明の技術的範囲に含まれる（本発明の技術的範囲を回避したことにはならない）。
【００７５】
また、本発明を回避する為、パワーの弱いダミーレンズ群を追加することは言うまでも無く容易であるので、それによって本発明の技術思想を回避したことにはならないが、そのような意味でも中間レンズ群内の群数には自由度がある。（これは他のレンズ群にも言えることである。）
【符号の説明】
【００７６】
Ｇ１  正の屈折力の第１レンズ群
１１  正レンズ
１２  負レンズ
１３  正レンズ
Ｇ２  負の屈折力の第２レンズ群
２１  負レンズ
２２  正レンズ
２３  負レンズ
Ｇ３  正の屈折力の第３レンズ群（中間レンズ群）
３１  正レンズ
３２  正レンズ
３３  負レンズ
Ｇ４  正の屈折力の第４レンズ群（中間レンズ群）
４１  負レンズ
４２  正レンズ
４３  正レンズ
Ｇ５  負の屈折力の第５レンズ群（第Ｎレンズ群）
５１  正レンズ
５２  負レンズ
Ｇ６  正の屈折力の第６レンズ群（第Ｐレンズ群）
６１  正単レンズ
Ｇ３’  正の屈折力の第３レンズ群（中間レンズ群）
３１’  正レンズ
３２’  正レンズ
３３’  負レンズ
３４’  負レンズ
３５’  正レンズ
３６’  正レンズ
Ｇ４’  負の屈折力の第４レンズ群（第Ｎレンズ群）
４１’  正レンズ
４２’  負レンズ
Ｇ５’  正の屈折力の第５レンズ群（第Ｐレンズ群）
５１’  正単レンズ
Ｓ  絞り
Ｉ  設計上の像面
【図１】
0006642071.tif 000002
【図２】
0006642071.tif 000003
【図３】
0006642071.tif 000004
【図４】
0006642071.tif 000005
【図５】
0006642071.tif 000006
【図６】
0006642071.tif 000007
【図７】
0006642071.tif 000008
【図８】
0006642071.tif 000009
【図９】
0006642071.tif 000010
【図１０】
0006642071.tif 000011
【図１１】
0006642071.tif 000012
【図１２】
0006642071.tif 000013
【図１３】
0006642071.tif 000014
【図１４】
0006642071.tif 000015
【図１５】
0006642071.tif 000016
【図１６】
0006642071.tif 000017
【図１７】
0006642071.tif 000018
【図１８】
0006642071.tif 000019
【図１９】
0006642071.tif 000020
【図２０】
0006642071.tif 000021
【図２１】
0006642071.tif 000022
【図２２】
0006642071.tif 000023
【図２３】
0006642071.tif 000024